(57)【特許請求の範囲】
【請求項１】
紙面に筆記した筆跡を消去可能な消去部材を軸筒の端部に備え、前記軸筒の端部には前記消去部材を覆って保護する天冠が取り付けられる消去部材付筆記具において、
前記天冠の内周面に少なくとも１つの突起を設け、
前記軸筒の端部の前記天冠の取付部の外周面には、前記突起の数に対応して軸線方向に形成された第１の溝と、外周方向に形成されて前記第１の溝に接続する第２の溝を設け、
前記天冠は、前記第１の溝に前記突起を挿入後、前記突起を前記第２の溝内を摺動させて前記軸筒の端部に取り付け、
前記突起と前記第２の溝の間には、前記突起のロック機構が設けられており、
前記ロック機構は、前記突起の後端部に設けられた凸部と、前記第２の溝の前記突起の後端部に対向する側壁に設けられた凹部であり、
前記凸部と前記凹部は、前記突起を前記第１の溝に挿入後、前記突起を前記第２の溝内に移動させると係合することを特徴とする消去部材付筆記具。
【請求項２】
紙面に筆記した筆跡を消去可能な消去部材を軸筒の端部に備え、前記軸筒の端部には前記消去部材を覆って保護する天冠が取り付けられる消去部材付筆記具において、
前記天冠の内周面に少なくとも１つの突起を設け、
前記軸筒の端部の前記天冠の取付部の外周面には、前記突起の数に対応して軸線方向に形成された第１の溝と、外周方向に形成されて前記第１の溝に接続する第２の溝を設け、
前記天冠は、前記第１の溝に前記突起を挿入後、前記突起を前記第２の溝内を摺動させて前記軸筒の端部に取り付け、
前記突起と前記第２の溝の間には、前記突起のロック機構が設けられており、
前記ロック機構は、前記第２の溝の入口部に設けられた、前記第１の溝の底面から隆起する盛り上がり部であり、
前記突起を、前記第１の溝に挿入後に前記盛り上がり部を乗り越えさせて前記第２の溝内に移動させると、前記ロック機構が機能することを特徴とする消去部材付筆記具。
【請求項３】
紙面に筆記した筆跡を消去可能な消去部材を軸筒の端部に備え、前記軸筒の端部には前記消去部材を覆って保護する天冠が取り付けられる消去部材付筆記具において、
前記天冠の内周面に少なくとも１つの突起を設け、
前記軸筒の端部の前記天冠の取付部の外周面には、前記突起の数に対応して軸線方向に形成された第１の溝と、外周方向に形成されて前記第１の溝に接続する第２の溝を設け、
前記天冠は、前記第１の溝に前記突起を挿入後、前記突起を前記第２の溝内を摺動させて前記軸筒の端部に取り付け、
前記突起と前記第２の溝の間には、前記突起のロック機構が設けられており、
前記ロック機構は、前記第２の溝の入口部の底面から、前記入口部を横切るように隆起する突条であり、
前記突起を、前記第１の溝に挿入後に前記突条を乗り越えさせて前記第２の溝内に移動させると、前記ロック機構が機能することを特徴とする消去部材付筆記具。
【請求項４】
紙面に筆記した筆跡を消去可能な消去部材を軸筒の端部に備え、前記軸筒の端部には前記消去部材を覆って保護する天冠が取り付けられる消去部材付筆記具において、
前記天冠の内周面に少なくとも１つの突起を設け、
前記軸筒の端部の前記天冠の取付部の外周面には、前記突起の数に対応して軸線方向に形成された第１の溝と、外周方向に形成されて前記第１の溝に接続する第２の溝を設け、
前記天冠は、前記第１の溝に前記突起を挿入後、前記突起を前記第２の溝内を摺動させて前記軸筒の端部に取り付け、
前記突起と前記第２の溝の間には、前記突起のロック機構が設けられており、
前記ロック機構は、前記突起の頂面に形成された粗面と、前記第２の溝の底面に形成された粗面であり、
前記突起の頂面に形成された粗面を、前記第２の溝の底面に形成された粗面に係合させると、前記ロック機構が機能することを特徴とする消去部材付筆記具。
【発明の詳細な説明】
【技術分野】
【０００１】
本発明は、筆記具で紙面に筆記した筆跡を消去可能な消去部材を保護する保護部材を備える消去部材付筆記具に関する。
【背景技術】
【０００２】
近年、熱変色性インクを使用したボールペンやカラーマーカー等の筆記具が普及している。このような熱変色性インクを使用した筆記具の軸筒の後方（筆記具のペン先側を前方、反対側を後方とする）には、弾性材料で形成された摩擦体が設けられており、筆記した筆跡を摩擦体で擦って生じる摩擦熱で熱変色性インクを熱変色させて筆跡を消去している。尚、ここで言う、筆跡は、紙面に書かれている文字や絵の両方を意味するものとする（大辞林第三版参照）。
【０００３】
このような熱変色性インクを使用した筆記具では、摩擦体が軸筒の後方に露出した状態で設けられているために、非使用時に摩擦体に埃や手垢が付着することがある。このため、筆記後に埃や手垢が付着した摩擦体で筆跡を擦ると、埃や手垢が紙面に移って紙面を汚す場合があった。
【０００４】
そこで、非使用時には摩擦体をカバーで覆うようにした熱変色性筆記具が特許文献１に開示されている。特許文献１では、摩擦体が露出状態で取り付けられた筆記具の軸筒の後端開口部の周囲に雄ネジを形成し、摩擦体に被せるカバーの開口部の内周面には雌ネジを形成して、カバーを軸筒の後端部に螺合させて非使用時の摩擦体を隠している。
【０００５】
そして、特許文献１では、筆記具の軸筒の後端部に螺合させたカバーが、軸筒の後端部から外れないようにするために、カバーを軸筒の後端部に螺合させて摩擦体に被せた時に、カバーの底部が摩擦体に圧着するようにして、螺合部に摩擦体の弾発力を作用させている。また、特許文献１には、カバーの底部にスポンジを貼り付けたり、ブラシを取り付けたりして、カバーを筆記体の軸筒に螺合させた時に、螺合部にスポンジやブラシによる弾発力が作用する構造も開示されている。
【先行技術文献】
【特許文献】
【０００６】
【特許文献１】特開２０１４−１２４８１０号公報
【発明の概要】
【発明が解決しようとする課題】
【０００７】
しかしながら、特許文献１に記載の熱変色性筆記具では、カバーを軸筒の後端部に完全に螺合させるまでには、カバーと軸筒の後端部とを何周も相対回転させる必要があり、カバーの軸筒の後端部への装着までに時間がかかるという課題があった。また、カバーを軸筒の後端部に完全に装着させるまでの相対回転数が多いために、装着が完了したと思って回転を途中でやめた場合には、カバーと軸筒の後端部との螺合強度が小さく、カバーが外れてカバーを紛失するという課題もあった。
【０００８】
本発明は、消去部材付筆記具の消去部材を保護する保護部材（カバー）である天冠を、容易に筆記具の軸筒の後端部に取り付けることができると共に、一度取り付けた天冠が軸筒の後端部から外れ難い消去部材付筆記具を提供することを目的とする。
【課題を解決するための手段】
【０００９】
本発明の一態様によれば、紙面に筆記した筆跡を消去可能な消去部材を軸筒の端部に備え、軸筒の端部には消去部材を覆って保護する天冠が取り付けられる消去部材付筆記具であって、天冠の内周面に少なくとも１つの突起が設けられ、軸筒の端部の天冠の取付部には、突起の数に対応して軸線方向に形成された第１の溝と、外周方向に形成されて第１の溝に接続する第２の溝が設けられ、天冠は、第１の溝に突起を挿入後、突起を第２の溝内を摺動させて軸筒の端部に取り付けるようにした消去部材付筆記具が提供される。
【００１０】
第１と第２の溝は、軸筒の端部に設けられた消去部材を保持する保持台の外周部に形成され、突起と第２の溝の間には突起のロック機構が設けられている態様が可能である。また、消去部材と保持台は二色成形によって一体成形された態様が可能である。
【００１１】
そして、軸筒の端部の天冠の取付部に設けられる突起のロック機構としては以下の態様が考えられる。
【００１２】
（ａ）天冠の底部側の突起の端部に凸部を設け、軸筒の端部の天冠の取付部の第２の溝の天冠の底部側の突起の端部に対向する部位に、凸部を受け入れる凹部を設けた態様。
（ｂ）軸筒の端部の天冠の取付部の第２の溝の入口部の底面に微小な盛り上がり部を設け、軸筒の端部の天冠の取付部の第１の溝に挿入された突起が、盛り上がり部を乗り越えて第２の溝に挿入される態様。
（ｃ）軸筒の端部の天冠の取付部の第１の溝と第２の溝の境界部の底面に、境界線に沿った微小な盛り上がりを備える突条を設け、第１の溝に挿入された突起が突条を乗り越えて第２の溝に挿入される態様。
（ｄ）天冠に設けられた突起の頂面を粗面とし、軸筒の端部の天冠の取付部の第２の溝の底面を粗面として第２の溝に挿入された突起の頂面と第２の溝の底面との摩擦力を強化した態様。
【００１３】
更に、消去部材付筆記具がノック式筆記具である場合、ノック式筆記具には以下の態様が可能である。
（１）軸筒と、天冠と、天冠が取り付けられるノック棒とを具備し、天冠を前方に押圧するノック操作を行うことによって、筆記状態と非筆記状態とが切り替え可能な態様。
（２）ノック棒の前方に配置され、重力によって軸筒内を前後方向に移動可能なノックロック部材と、軸筒の内面に設けられ、ノックロック部材と係止可能な係止部とを更に具備し、軸筒の前端を上方へ向けると、ノックロック部材が後方へ移動して係止部と係止し、操作部の前方への移動が阻止される態様。
（３）ノック式筆記具が熱変色性インクを有するノック式筆記具であり、筆跡消去部材によって擦過した際に生じる摩擦熱によって熱変色性インクによる筆跡を熱変色可能である態様。
【発明の効果】
【００１４】
本発明の消去部材付筆記具によれば、消去部材を保護する天冠を筆記具の軸筒の後端部に容易に取り付けることができる。また、筆記具の軸筒の後端部に取り付けた天冠が、消去部材の使用時には軸筒の後端部から容易に取り外せ、消去部材の非使用時には軸筒の後端部から外れ難い。
【図面の簡単な説明】
【００１５】
【図１】（ａ）は本発明の消去部材付筆記具の、非筆記状態における正面図、（ｂ）は（ａ）に示した消去部材付筆記具の縦断面図である。
【図２】（ａ）は図１（ｂ）に示した消去部材付筆記具の、後ろ側を部分的に拡大した部分拡大断面図、（ｂ）は（ａ）に示した天冠が筆記具の軸筒から取り外された状態を示す部分拡大断面図である。
【図３】本発明の消去部材付筆記具の第１実施例の天冠の構造を示すものであり、（ａ）は天冠をノック棒挿入側から見た斜視図、（ｂ）は天冠を後ろ側から見た斜視図、（ｃ）は天冠の正面図、（ｄ）は天冠の左側面図、（ｅ）は天冠の右側面図、（ｆ）は天冠の軸線方向の断面図である。
【図４】図１（ｂ）に示した筆記具のノック機構の消去部材を備えたノック棒を示すものであり、（ａ）はノック棒の斜視図、（ｂ）はノック棒の正面図、（ｃ）はノック棒の右側面図、（ｄ）はノック棒の軸線方向の断面図である。
【図５】（ａ）は図３に示した天冠を、図４に示したノック棒を備える筆記具の後端側からノック棒に取り付ける動作を示す斜視図、（ｂ）は（ａ）に示した状態から天冠が筆記具の内筒に挿入されて取り付けられた状態を示す斜視図である。
【図６】（ａ）は図５（ｂ）に示した状態におけるノック棒の第１の溝に対する天冠の突起の位置を示す説明図、（ｂ）は図５（ｂ）に示した状態から、天冠が矢印Ｒで示す方向に回転された時の、ノック棒の第２の溝に対する天冠の突起の位置を示す説明図である。
【図７】本発明の消去部材付筆記具の第２実施例の天冠の構造を示すものであり、（ａ）は天冠をノック棒挿入側から見た斜視図、（ｂ）は天冠を後ろ側から見た斜視図、（ｃ）は天冠の正面図、（ｄ）は天冠の左側面図、（ｅ）は天冠の右側面図、（ｆ）は天冠の軸線方向の断面図、（ｇ）は（ａ）から（ｆ）に示した構造の天冠を、図４（ａ）から（ｄ）に示したノック棒を備える筆記具の後端側から、ノック棒に取り付ける動作を示す斜視図である。
【図８】（ａ）は本発明の消去部材付筆記具の第３実施例の天冠の構造を示すものであり、（ａ）は天冠をノック棒挿入側から見た斜視図、（ｂ）は（ａ）に示した天冠の軸線方向の断面図である。
【図９】図８（ａ）、（ｂ）に示した第３実施例の天冠の構造に対応する第２実施例のノック棒の構造を示すものであり、（ａ）はノック棒を筆記具のペン先側から見た斜視図、（ｂ）は（ａ）に示したノック棒の正面図である。
【図１０】（ａ）は図８（ａ）、（ｂ）に示した第３実施例の天冠を、図９（ａ）、（ｂ）に示した第２実施例のノック棒を備える筆記具の後端側から、ノック棒に取り付ける動作を示す斜視図、（ｂ）は（ａ）に示した第３実施例の天冠の突起が、第２実施例のノック棒の第１の溝に挿入された状態を示す説明図、（ｂ）は（ａ）に示した状態から天冠が回転させられて突起が第２の溝に挿入された状態を示す説明図である。
【図１１】（ａ）は本発明の消去部材付筆記具の第３実施例のノック棒の構造を示す斜視図、（ｂ）は本発明の消去部材付筆記具の第４実施例のノック棒の構造を示す斜視図である。
【図１２】（ａ）は本発明の消去部材付筆記具の第４実施例の天冠の構造を示す断面図、（ｂ）は（ａ）に示す第４実施例の天冠に対応する第５実施例のノック棒の構造を示す斜視図である。
【発明を実施するための形態】
【００１６】
以下、図面を参照しながら本発明の実施の形態を詳細に説明する。全図面に渡り、対応する構成要素には共通の参照符号を付す。
【００１７】
図１（ａ）は本発明の消去部材付筆記具１の、非筆記状態を正面から見たものであり、図１（ｂ）は図１（ａ）に示した消去部材付筆記具１の縦断面を示している。図１（ａ）に示すように、消去部材付筆記具１はノック式筆記具であり、以後の説明では筆記側を前方或いは前側と記し、筆記側の反対側を後方或いは後ろ側と記す。また、消去部材付筆記具１は以後ノック式筆記具１とも記す。ノック式筆記具１は、前軸２と後軸３とからなる軸筒、及びクリップ９を備える内筒８を備えており、後ろ側には天冠１０が設けられている。
【００１８】
また、図１（ｂ）に示すように、ノック式筆記具１の前軸２、後軸３及び内筒８の内部には、一端に筆記部５ａを備えた筆記体であるリフィル５と、リフィル５を後方へ付勢するスプリング６と、後軸３の後ろ側の端部（後端部）に配置されたノック機構５０がある。リフィル５には、例えば、後述する消去部材で擦られると摩擦熱で変色して透明になる熱変色性インク、或いは後述する消去部材で紙面から剥ぎ取ることができるインクが収容されているものとする。
【００１９】
ノック機構５０には、天冠１０に接続するノック棒３０と、ノック棒３０とリフィル５との間に設けられた回転子６０がある。前軸２の前側はテーパ状に形成され、前側の端部（前端部）にはリフィル５の筆記部５ａを突出させるための貫通孔２ａが形成されている。天冠１０を押圧するノック操作を行うと、ノック棒３０と回転子６０により、リフィル５の筆記部５ａが貫通孔２ａから突出する筆記状態と、筆記部５ａが貫通孔２ａの内側に収容される非筆記状態になる。
【００２０】
更に、ノック棒３０の後ろ側の端部（後端部）には消去部材７が取り付けられている。消去部材７は、ノック棒３０に対して、嵌合、圧入、接着又は二色成形等によって取り付けることができる。そして、天冠１０はこの消去部材７を覆うようにノック棒３０の後端部に取り付けられる。前軸２の後ろ側は、後軸３の前端部の内部に挿入され、螺合している。内筒８は、後軸３と一体に形成しても良く、また、前軸２及び後軸３も、一体に形成しても良い。これに加えて、軸筒内において、ノック機構５０の前方、すなわちノック棒３０の前方には、ノックロック部材４が配置されている。
【００２１】
ノックロック部材４は、重力によって後軸３内を前後方向に移動可能であり、筆記部５ａが下を向いてノックロック部材４が後軸３内を前軸２側に移動した時には、ノック機構５０に作用することなく、天冠１０によるノック操作を可能にする。一方、消去部材７が下を向いて、ノックロック部材４が後軸３内を回転子６０側に移動した時には、ノック機構５０に作用して、天冠１０によるノック操作ができないようにする。これは、天冠１０が外されて消去部材７を使用して紙面上の筆跡を消去する場合に、消去部材７を本体に対して固定した方が良いからである。
【００２２】
なお、天冠１０が押圧された時のノック機構５０によるノック式筆記具１の筆記状態と非筆記状態の切り換え、及びノックロック部材４の移動による回転子６０の動作／非動作については、直接本発明と関係がないので、これ以上の説明を省略する。
【００２３】
図２（ａ）は図１（ｂ）に示したノック式筆記具１の、後ろ側を部分的に拡大して示すものである。ノック棒３０の後端部には消去部材取付穴３７が設けられており、この消去部材取付穴３７に消去部材７が嵌合、圧入又は接着によって取り付けられている。また、消去部材７は、ノック棒３０に対して二色成形等によって取り付けることも可能である。そして、ノック棒３０の後端部には、消去部材７を覆う天冠１０が着脱可能に取り付けられている。天冠１０には通気孔１２が設けられている。図２（ｂ）はノック棒３０の後端部から天冠１０を取り外した状態を示しており、天冠１０を取り外すと消去部材７が露出する。ここで、第１実施例の天冠１０の構造及びノック棒３０の構造について図３から図６を用いて説明する。
【００２４】
図３（ａ）は天冠１０をノック棒の挿入側（前方）から見たものであり、図３（ｂ）は天冠１０を後方から見たものである。また、図３（ｃ）は天冠１０を横にして正面から見たものであり、図３（ｄ）は図３（ｃ）に示した天冠１０の左側面図で、図３（ｅ）は天冠１０の右側面図である。更に、図３（ｆ）は天冠１０の軸線方向の断面を示すものである。
【００２５】
天冠１０は円筒形の筒体の一方の端部に底面１５を設けたものであり、開口１６側の内周面に所定の等間隔で突起１１を設けてある。第１実施例では突起１１の数は４個であるが、突起１１の数は特に限定されない。しかし、天冠１０をノック棒に取り付ける際に、簡単に取り付けられるように、等間隔で設けることが望ましい。突起１１の内周面からの高さは、後述するノック棒に設けられている溝の深さと同程度である。また、突起１１の開口１６側は楔状になっており、ノック棒に設けられている溝に挿入し易いようになっている。そして、天冠１０の底面１５の中央部には、天冠１０の誤飲時に気道を確保するための通気孔１２が設けられている。
【００２６】
図４（ａ）は、図１（ｂ）に示したノック式筆記具１のノック機構５０における、消去部材７を備えたノック棒３０を示すものである。また、図４（ｂ）は図４（ａ）に示すノック棒３０の正面図であり、図４（ｃ）は図４（ａ）に示すノック棒３０を右側から見たものであり、図４（ｄ）は図４（ａ）に示すノック棒３０の軸線方向の断面を示している。ノック棒３０にはノック機構の回転子６０に接続する大径部３３があり、大径部３３に隣接して消去部材７を保持する小径部３４がある。大径部３３の回転子側（前方）に設けられた突起やカムについては、本発明と直接関係がないので、ここではこれらの説明を省略する。
【００２７】
小径部３４は大径部３３よりも僅かに小さな直径を有する。大径部３３の一部の内部と小径部３４の内部には、消去部材７を保持する消去部材取付穴３７が設けられており、この消去部材取付穴３７に消去部材７が取り付けられている。前述のように、消去部材７は、別部品として消去部材取付穴３７に対して嵌合、圧入又は接着されるか、或いは大径部３３と小径部３４と共に二色成形によって設けられる。消去部材７の直径は、図３で説明した天冠１０の内径よりも小さい。
【００２８】
第１の溝３１は、天冠１０の取付部である小径部３４の外周面にノック棒３０の軸線方向に沿って設けられており、図３（ａ）、（ｃ）及び（ｆ）に示した突起１１を受け入れるためのものである。第１実施例では、天冠１０の内周面に等間隔で４つの突起１１が設けられているので、第１の溝３１の数も等間隔で４つである。テーパ溝３５は第１の溝３１に連続して小径部３４の先端側に設けられており、溝幅が先端部側ほど大きく形成されていて、突起１１を第１の溝３１にスムーズに導くようになっている。第１の溝３１の溝幅は突起１１の幅よりも僅かに広い程度に形成されている。
【００２９】
第２の溝３２は、小径部３４の大径部３３との境界部分に、第１の溝３１に接続して小径部３４の外周方向に設けられている。第２の溝３２は、第１の溝３１の底部まで突起１１が挿入された後に天冠１０が回転させられた時に、突起１１を受け入れるように形成されており、外周方向の溝の長さは突起１１の幅程度、軸線方向の溝の幅は突起１１の全長程度である。
【００３０】
図５（ａ）は図３に示した天冠１０を、図４に示したノック棒３０を備えるノック式筆記具１の後端側から、ノック棒３０に取り付ける動作を示すものである。ノック棒３０は、ノック式筆記具１の内筒８の後端部にある開口部８ａから、小径部３４の先端部及び消去部材７が突出した状態でノック式筆記具１に取り付けられている。天冠１０をノック式筆記具１の後端側に取り付ける場合は、天冠１０を消去部材７に被せた後に、天冠１０の内周面に設けられた突起１１を、ノック棒３０のテーパ溝３５に合わせた状態でノック棒３０に差し込む。テーパ溝３５の先端部側の溝幅は広いので、突起１１の挿入位置が、テーパ溝３５に続く第１の溝３１と多少ずれていても、突起１１はテーパ溝３５のテーパ面で第１の溝３１に誘導される。
【００３１】
図５（ｂ）は図５（ａ）に示した状態から天冠１０がノック式筆記具１の内筒８に挿入されてノック棒３０に取り付けられた状態を示すものである。この状態では、図６（ａ）に示すように、天冠１０に設けられた突起１１が、第１の溝３１の底部に達している。ここで、図５（ｂ）に示すように天冠１０を矢印Ｒで示す方向に回転させると、図６（ａ）に示した状態の突起１１は、図６（ｂ）に示すように第２の溝３２に入って第２の溝３２と嵌合して保持される。この結果、ノック式筆記具１の後端部からノック棒３０に取り付けた天冠１０が抜け難くなる。
【００３２】
図７（ａ）〜（ｆ）は本発明の消去部材付筆記具１の第２実施例の天冠１０Ａの構造を示すものであり、図３（ａ）〜（ｆ）で説明した第１実施例の天冠１０と同じ状態の天冠１０Ａが図示されている。第２実施例の天冠１０Ａの内側には、第１実施例の天冠１０と同様に突起１１が設けられており、天冠１０Ａの底面１５には天冠１０と同様に通気孔１２が設けられている。
【００３３】
第２実施例の天冠１０Ａが、第１実施例の天冠１０と異なる点は、天冠１０の外周面に、天冠１０Ａの軸線に平行なリブ状の突出部１４が複数条設けられている点である。突出部１４は天冠１０Ａの外周面に、天冠１０Ａの軸線を中心とした放射状に等間隔で突設されており、突出部１４は天冠１０Ａの底面１５がある側で、テーパ部１４ａにより天冠１０Ａの外周面からの高さが次第に低くなるように形成されている。そして、突出部１４と突出部１４の間の天冠１０の外周面は、天冠１０を前後方向に連絡する溝１３となっている。溝１３が天冠１０Ａの誤飲時の気道となるため、通気孔１２は設けなくても良い。このため、第２実施例の天冠１０Ａには、第１実施例のノック棒３０をそのまま使用することができる。
【００３４】
天冠１０Ａの外周面に軸線方向に複数の突出部１４と溝１３が設けられていると、図７（ｇ）に示すように、天冠１０Ａの突起１１をテーパ溝３５に合わせてノック棒３０に差し込んだ後、天冠１０Ａを回転させる際に、天冠１０Ａを把持し易くなって回転させ易い。突出部１４の数や溝１３の深さは特に限定されるものではなく、ノック棒３０に差し込んだ天冠１０Ａを把持して回転させ易い形状であれば良い。また、例えば、天冠１０Ａが金属製である場合には、天冠１０Ａの外表面にローレット加工、梨地加工等を施しても良い。
【００３５】
図８（ａ）は本発明の消去部材付筆記具の第３実施例の天冠１０Ｂの構造を示すものであり、図８（ｂ）は図８（ａ）に示した天冠１０Ｂの軸線方向の断面を示すものである。第３実施例の天冠１０Ｂに対しては、図９（ａ）、（ｂ）に示す第２実施例のノック棒３０Ａを用意する。
【００３６】
第３実施例の天冠１０Ｂと第２実施例のノック棒３０Ａが、第１実施例の天冠１０とノック棒３０と異なる点は、天冠１０Ｂとノック棒３０Ａとの間に第１のロック機構が設けられている点である。第１のロック機構は、天冠１０Ｂにある突起１１の後端部に設けられた凸部１８と、ノック棒３０Ａの第２の溝３２の、突起１１の後端部に対向する側壁に設けられた凹部３８を備える。凹部３８の形状は凸部１８の形状に対応しており、凹部３８は凸部１８を受け入れることができる。天冠１０Ｂとノック棒３０Ａのその他の部分の構造は第１実施例の天冠１０とノック棒３０の構造と同じである。
【００３７】
第３実施例の天冠１０Ｂを第２実施例のノック棒３０Ａに取り付ける場合は、図１０（ａ）に示すように、天冠１０Ｂをノック式筆記具１の内筒８内にある消去部材７及びノック棒３０Ａに被せるように挿入し、図５（ｂ）に示した状態にする。この状態では、図１０（ｂ）に示すように、天冠１０Ｂに設けられた突起１１が、第１の溝３１の底部に達しているが、突起１１の後端部に設けられた凸部１８が、第２の溝３２の入口の脇にある第１の溝３１の側壁に当接している。凸部１８の高さは僅かであるので、ここで、図５（ｂ）に示したように天冠１０Ｂを矢印Ｒで示す方向に回転させると、突起１１が弾性変形して、凸部１８が第２の溝３２の側壁に押された状態で突起１１が第２の溝３２内を移動する。
【００３８】
天冠１０Ｂを回し続けると、第２の溝３２の側壁に押された状態で第２の溝３２内を移動した突起１１が、図１０（ｃ）に示すように、第２の溝３２の側壁に設けられた凹部３８に嵌合する。このように、突起１１の後端部に設けられた凸部１８が第２の溝３２に設けられた凹部３８に嵌合すると、天冠１０Ｂが逆方向に回転し難くなり、ノック式筆記具１の後端部からノック棒３０Ａに取り付けた天冠１０Ｂが更に抜け難くなる。
【００３９】
図１１（ａ）は本発明のノック式筆記具１における第３実施例のノック棒３０Ｂを示すものである。第３実施例のノック棒３０Ｂには、第２のロック機構５０Ａとして、第２の溝３２の入口部に、第１の溝３１の底面から僅かに隆起する盛り上がり部３６が設けられている。ノック棒３０Ｂのその他の部分の構造は第１実施例のノック棒３０と同じである。第３実施例のノック棒３０Ｂには、図３と図７で説明した第１と第２実施例の天冠１０、１０Ａを取り付けることが可能である。
【００４０】
第２のロック機構５０Ａでは、天冠１０、１０Ａの突起１１がノック棒３０Ｂの第１の溝３１の底部まで挿入された後に天冠１０、１０Ａが回転させられると、突起１１が盛り上がり部３６を乗り越えて第２の溝３２内に移動する。突起１１が第２の溝３２内に移動し終わった状態では、第２の溝３２の入口部に盛り上がり部３６が位置するので、第２の溝３２内に留まる突起１１は盛り上がり部３６を乗り越えないと第１の溝３１に達することができない。よって、盛り上がり部３６により、突起１１が第２の溝３２内から第１の溝３１側に移動し難くなり、ノック式筆記具１の後端部からノック棒３０Ｂに取り付けた天冠１０、１０Ａが更に抜け難くなる。
【００４１】
図１１（ｂ）は本発明のノック式筆記具１における第４実施例のノック棒３０Ｃを示すものである。第４実施例のノック棒３Ｃには、第３のロック機構５０Ｂとして、第２の溝３２の入口部に、溝の底面から僅かに隆起する突条３９が設けられている。突条３９は、第２の溝３２の入口部を横切るように、第２の溝３２の入口部全体に渡って設けられている。ノック棒３０Ｃのその他の部分の構造は第１実施例のノック棒３０と同じである。第４実施例のノック棒３０Ｃには、図３と図７に示した第１と第２実施例の天冠１０、１０Ａを取り付けることが可能である。
【００４２】
第３のロック機構５０Ｂでは、天冠１０、１０Ａの突起１１がノック棒３０Ｃの第１の溝３１の底部まで挿入された後に天冠１０、１０Ａが回転させられると、突起１１が突条３９を乗り越えて第２の溝３２内に移動する。突起１１が第２の溝３２内に移動し終わった状態では、第２の溝３２の入口部に突条３９が位置するので、第２の溝３２内に留まる突起１１は突条３９を乗り越えないと第１の溝３１に達することができない。よって、突条３９により、突起１１が第２の溝３２内から第１の溝３１側に移動し難くなり、ノック式筆記具１の後端部からノック棒３０Ｃに取り付けた天冠１０、１０Ａが更に抜け難くなる。
【００４３】
図１２（ａ）は本発明の消去部材付筆記具１の第４実施例の天冠１０Ｃの構造を示すものである。第４実施例の天冠１０Ｃの構造は、図３で説明した第１実施例の天冠１０とほぼ同じであり、異なる点は、全ての突起１１の頂面が粗面２０になっている点だけである。図１２（ｂ）は図１２（ａ）に示した第４実施例の天冠１０Ｃに対応する第５実施例のノック棒３０Ｄの構造を示すものである。第５実施例のノック棒３０Ｄでは、第２の溝３２の底面が全面に渡って粗面４０になっている。第４のロック機構５０Ｃは、突起１１の頂面に形成された粗面２０と、ノック棒３０Ｄの第２の溝３２の底面に形成された粗面４０を備える。
【００４４】
第４のロック機構５０Ｃでは、天冠１０Ｃの突起１１がノック棒３０Ｄの第１の溝３１の底部まで挿入された後に天冠１０Ｃが回転させられると、突起１１の頂面に形成された粗面２０が、第２の溝３２の底面に形成された粗面４０に係合する。突起１１が第２の溝３２内に移動し終わった状態では、突起１１の頂面に形成された粗面２０と第２の溝３２の底面に形成された粗面４０とが全面に渡って係合する。このため、粗面２０、４０の係合により、突起１１が第２の溝３２内から第１の溝３１側に移動し難くなり、ノック式筆記具１の後端部からノック棒３０Ｄに取り付けた天冠１０Ｃが更に抜け難くなる。
【００４５】
以上説明したように、本発明のノック式筆記具１では、消去部材７は、使用時以外は、天冠１０、１０Ａ、１０Ｂ及び１０Ｃの何れかによって覆われていることから、消去部材７の汚れを防止することが可能となっている。また、天冠１０、１０Ａ、１０Ｂ及び１０Ｃの各個は、対応するノック棒３０、３０Ａ、３０Ｂ、３０Ｃ及び３０Ｄの何れかに対して簡単に取り付けることができる。これに加えて、対応するノック棒３０、３０Ａ、３０Ｂ、３０Ｃ及び３０Ｄの何れかに取り付けられた天冠１０、１０Ａ、１０Ｂ及び１０Ｃの何れかはノック棒から容易に抜けることがない。
【００４６】
上述した実施例では筆記体であるリフィルには、熱変色性インクが収容されている。この場合、ノック式筆記具は熱変色性筆記具であり、消去部材は紙面を擦った場合に、紙面との間に摩擦熱を発生させる部材で形成され、発生した摩擦熱によって、ノック式筆記具の筆跡を熱変色可能である。なお、筆記体としては、熱変色インクを収容したボールペン、熱変色芯を収容したシャープペンシル、或いは鉛筆ホルダ等が考えられる。また、リフィルに消しゴムで消去可能な消しゴム消去式インクを収容したノック式筆記具が可能である。この場合は、消去部材には、消しゴムと同様に紙面からインクを剥ぎ取る場合に摩耗する部材が選択される。
【００４７】
ここで、熱変色性インクとは、常温（例えば２５℃）で所定の色彩（第１色）を維持し、所定温度（例えば６５℃）まで昇温させると別の色彩（第２色）へと変化し、その後、所定温度（例えば−１０℃）まで冷却させると、再び元の色彩（第１色）へと復帰する性質を有するインクを言う。熱変色性インクを用いた筆記具１では上記第２色を無色とし、第１色（例えば赤）で筆記した描線を昇温させて無色とすることを、ここでは「消去する」という。したがって、描線が筆記された筆記面等に対して消去部材としての摩擦体によって擦過して摩擦熱を生じさせ、それによって描線を無色に変化、即ち、消去させる。なお、当然のことながら上記第２色は、無色以外の有色でもよい。
【００４８】
また、消しゴムで消去可能な消しゴム消去式インクを収容したリフィルを使用する筆記具では、消しゴム消去性インクは、水と、平均粒子径１．０〜１５μｍの非熱可塑性着色樹脂粒子をインク組成物全量に対して、３〜３０重量％と、０．１〜１５重量％の非着色粒子とを少なくとも含有することが必要である。
【００４９】
本発明の水性インクに用いる着色樹脂粒子は、着色された樹脂粒子からなるものであり、非熱可塑性であり、かつ、平均粒子径が１．０〜１５μｍとなるものであり、例えば、樹脂粒子中に顔料からなる着色剤が分散された着色樹脂粒子、樹脂粒子の表面が顔料からなる着色剤で被覆された着色樹脂粒子、樹脂粒子に染料からなる着色剤が染着された着色樹脂粒子などが挙げられる。
【００５０】
本実施例では、着色樹脂粒子が非熱可塑性で上記平均粒子径を充足するものであれば、その構造〔中空構造あり、中空構造なし（密実）〕、形状（球状、多角形状、扁平状、繊維状）等は特に限定されるものでないが、好ましくは、優れた消しゴム消去性、筆記性、インクとしての経時安定性を発揮させる点から、ガラス転移点が１５０℃以上で熱分解温度に近く、更にはメルトフローインデックス値が０．１未満であるような分子内架橋を持つ粒子で粘着性を有せず、かつ、平均粒子径が１．０〜１５μｍとなる球状の着色樹脂微粒子の使用が望ましい。
【００５１】
消去部材を形成する材料として、シリコーンゴム、ニトリルゴム、エチレンプロピレンゴム、エチレンプロピレンジエンゴム等のゴム材質やスチレン系エラストマー、オレフィン系エラストマー、ポリエステル系エラストマー等の熱可塑性エラストマーといったゴム弾性材料、２種以上のゴム弾性材料の混合物、及び、ゴム弾性材料と合成樹脂との混合物、市販されている消しゴム等が挙げられる。
【００５２】
消去部材は、熱変色筆記具とする場合は、特にポリプロピレン樹脂及びスチレン系熱可塑性エラストマーの混合物、またはポリプロピレン樹脂及びポリプロピレン系熱可塑性エラストマーの混合物から形成され、その配合比率がそれぞれ重量比で１：１〜１：４であり、研磨剤、可塑剤、充填剤を含有せず、ＪＩＳ  Ｋ６２５１に規定されたデュロメータ硬度Ａが７０°〜１００°となる材質からなり、ＪＩＳ  Ｓ  ６０５０−２００２に規定する鉛筆描線の消し能力（消字率）が７０％以下のものである可塑剤を含有しない低摩耗性の弾性材料から形成される。それによって消去部材は、擦過時に消しカスが生じにくく、熱変色性も優れているので有効である。
【００５３】
なお、本発明における「消去」とは、上記熱変色性インクを用いた場合以外にも、筆記した描線、文字等を消しゴム等の消去部で吸着又は削ぎ落とすことをいう。更に、感圧式タッチペンや軸筒等に電導性を付与して静電容量式タッチペンの後端部に、消去部材と天冠を設けるような構成でもよい。したがって、本発明は、筆記具によって筆記された描線（筆跡）を消去できる、消去部材を備えた任意の文房具にも適用可能である。
【符号の説明】
【００５４】
１    消去部材付筆記具（ノック式筆記具）
７    消去部材
８    内筒
１０、１０Ａ、１０Ｂ、１０Ｃ    天冠
１１    突起
１８    凸部
２０、４０    租面
３０、３０Ａ、３０Ｂ、３０Ｃ、３０Ｄ    ノック棒
３１    第１の溝
３２    第２の溝
３６    盛り上がり部
３８    凹部
３９    突条
【図１】
0006544912.tif 000002
【図２】
0006544912.tif 000003
【図３】
0006544912.tif 000004
【図４】
0006544912.tif 000005
【図５】
0006544912.tif 000006
【図６】
0006544912.tif 000007
【図７】
0006544912.tif 000008
【図８】
0006544912.tif 000009
【図９】
0006544912.tif 000010
【図１０】
0006544912.tif 000011
【図１１】
0006544912.tif 000012
【図１２】
0006544912.tif 000013